(57)【要約】【課題】歯ブラシを衛生的に保持して保管することができる保持機能付き歯ブラシ及び歯ブラシ用保持具を得る。【解決手段】歯ブラシ１の柄２の基端部３に磁石４を備え、基端部３の端面３ａは、磁石４の吸着面７となっており、吸着面７は、歯ブラシ１の軸方向に対して直交する平面であり、吸着面７を被吸着面８に磁石４の磁力によって吸着させることにより、歯ブラシ１が被吸着面８に対して直交する方向に延びる状態で保持可能になっている。また、磁石４は、いかなる角度に設置された被吸着面８に対しても歯ブラシ１を被吸着面８に対して直交する方向に延びる状態で保持可能である磁力を有している。【選択図】  図１
2004236808.tif 000002
【特許請求の範囲】
【請求項１】
歯ブラシの柄の基端部に磁石を備え、
前記基端部の端面は、前記磁石の吸着面となっており、
前記吸着面は、前記歯ブラシの軸方向に対して直交する平面であり、
前記吸着面を被吸着面に前記磁石の磁力によって吸着させることにより、前記歯ブラシが該被吸着面に対して直交する方向に延びる状態で保持可能であることを特徴とする保持機能付き歯ブラシ。
【請求項２】
前記磁石は、前記歯ブラシの柄の基端部に内蔵されていることを特徴とする請求項１に記載の保持機能付き歯ブラシ。
【請求項３】
前記磁石は、いかなる角度に設置された前記被吸着面に対しても前記歯ブラシを該被吸着面に対して直交する方向に延びる状態で保持可能である磁力を有することを特徴とする請求項１又は２に記載の保持機能付き歯ブラシ。
【請求項４】
前記磁石は、希土類磁石であることを特徴とする請求項１乃至３のうちのいずれか一項に記載の保持機能付き歯ブラシ。
【請求項５】
歯ブラシの柄の基端部に取り付け可能なキャップ部と、
前記キャップ部の底部に設けられた磁石とを備え、
前記底部の端面は、前記磁石の吸着面となっており、
前記吸着面は、前記キャップ部が取り付けられる前記歯ブラシの軸方向に対して直交する平面であり、
前記吸着面を被吸着面に前記磁石の磁力によって吸着させることにより、前記歯ブラシが該被吸着面に対して直交する方向に延びる状態で保持可能であることを特徴とする歯ブラシ用保持具。
【請求項６】
前記磁石は、前記底部に内蔵されていることを特徴とする請求項５に記載の歯ブラシ用保持具。
【請求項７】
前記磁石は、いかなる角度に設置された前記被吸着面に対しても前記歯ブラシが該被吸着面に対して直交する方向に延びる状態で保持可能である磁力を有することを特徴とする請求項５又は６に記載の歯ブラシ用保持具。
【請求項８】
前記磁石は、希土類磁石であることを特徴とする請求項５乃至７のうちのいずれか一項に記載の歯ブラシ用保持具。
【請求項９】
前記キャップ部は、前記歯ブラシの基端部に挿入する時に弾性的に拡張可能な樹脂で形成されていることを特徴とする請求項５乃至８のうちのいずれか一項に記載の歯ブラシ用保持具。
【請求項１０】
歯ブラシの柄の基端部に強磁性体を備え、
前記基端部の端面は、前記強磁性体の被吸着面となっており、
前記被吸着面は、前記歯ブラシの軸方向に対して直交する平面であり、
前記被吸着面を磁石の吸着面に該磁石の磁力によって吸着させることにより、前記歯ブラシが該吸着面に対して直交する方向に延びる状態で保持可能であることを特徴とする保持機能付き歯ブラシ。
【請求項１１】
歯ブラシの柄の基端部に取り付け可能なキャップ部と、
前記キャップ部の底部に設けられた強磁性体とを備え、
前記底部の端面は、前記強磁性体の被吸着面となっており、
前記被吸着面は、前記キャップ部が取り付けられる前記歯ブラシの軸方向に対して直交する平面であり、
前記被吸着面を磁石の吸着面に該磁石の磁力によって吸着させることにより、前記歯ブラシが該吸着面に対して直交する方向に延びる状態で保持可能であることを特徴とする歯ブラシ用保持具。
【発明の詳細な説明】
【０００１】
【発明の属する技術分野】
本発明は、保持機能付き歯ブラシ及び歯ブラシ用保持具に関するものである。
【０００２】
【従来の技術】
従来において、歯ブラシはホルダー等に差し込まれた状態で保持されて保管されている。従来のホルダーには、洗面台等に一体に取り付けられて複数の歯ブラシを保持することができる一体型ホルダーや、動物や植物などの形にデザインされ、任意の場所に載置することができる置物型ホルダーなどがある（例えば、特許文献１参照。）。
【０００３】
【特許文献１】
特開平１１−３２８９８号公報（第：１−２頁、第２−４図）
【０００４】
【発明が解決しようとする課題】
しかしながら、従来における歯ブラシの保持の方法には、特に衛生的な面で問題がある。上述のようなホルダーは、歯ブラシの柄の先端部に設けられた刷毛部を上側にし、柄の基端部を下側にした状態で歯ブラシを保持しているため、使用後において刷毛部等に付着した水滴がホルダー面上に垂れたり、該水滴が歯ブラシの柄に沿ってホルダー内に入るなどし、その結果、ホルダー自体にカビが発生しやすく、非常に不衛生である。また、一度カビ等で汚れたホルダーを清掃するのは、使用者にとって不便であり、特にホルダー内を清掃するのは非常に煩わしいことである。
【０００５】
本発明は、上述のような従来技術の問題点に鑑みてなされたものであり、歯ブラシを衛生的に保持して保管することができる保持機能付き歯ブラシ及び歯ブラシ用保持具を提供することを目的とする。
【０００６】
【課題を解決するための手段】
本発明は、歯ブラシの柄の基端部に磁石を備え、前記基端部の端面は、前記磁石の吸着面となっており、前記吸着面は、前記歯ブラシの軸方向に対して直交する平面であり、前記吸着面を被吸着面に前記磁石の磁力によって吸着させることにより、前記歯ブラシが該被吸着面に対して直交する方向に延びる状態で保持可能であることを特徴とする保持機能付き歯ブラシを提供する。
【０００７】
また、前記磁石を、前記歯ブラシの柄の基端部に内蔵することができる。また、前記磁石は、いかなる角度に設置された前記被吸着面に対しても前記歯ブラシを該被吸着面に対して直交する方向に延びる状態で保持可能である磁力を有する方が好ましい。また、前記磁石を、希土類磁石にすることができる。
【０００８】
また、本発明は、歯ブラシの柄の基端部に取り付け可能なキャップ部と、前記キャップ部の底部に設けられた磁石とを備え、前記底部の端面は、前記磁石の吸着面となっており、前記吸着面は、前記キャップ部が取り付けられる前記歯ブラシの軸方向に対して直交する平面であり、前記吸着面を被吸着面に前記磁石の磁力によって吸着させることにより、前記歯ブラシが該被吸着面に対して直交する方向に延びる状態で保持可能であることを特徴とする歯ブラシ用保持具を提供する。
【０００９】
また、前記磁石を、前記底部に内蔵することができる。また、前記磁石は、いかなる角度に設置された前記被吸着面に対しても前記歯ブラシが該被吸着面に対して直交する方向に延びる状態で保持可能である磁力を有する方が好ましい。また、前記磁石を、希土類磁石にすることができる。
【００１０】
さらに、前記キャップ部を、前記歯ブラシの基端部に挿入する時に弾性的に拡張可能な樹脂で形成することができる。
【００１１】
また、本発明は、歯ブラシの柄の基端部に強磁性体を備え、前記基端部の端面は、前記強磁性体の被吸着面となっており、前記被吸着面は、前記歯ブラシの軸方向に対して直交する平面であり、前記被吸着面を磁石の吸着面に該磁石の磁力によって吸着させることにより、前記歯ブラシが該吸着面に対して直交する方向に延びる状態で保持可能であることを特徴とする保持機能付き歯ブラシを提供する。
【００１２】
さらに、本発明は、歯ブラシの柄の基端部に取り付け可能なキャップ部と、前記キャップ部の底部に設けられた強磁性体とを備え、前記底部の端面は、前記強磁性体の被吸着面となっており、前記被吸着面は、前記キャップ部が取り付けられる前記歯ブラシの軸方向に対して直交する平面であり、前記被吸着面を磁石の吸着面に該磁石の磁力によって吸着させることにより、前記歯ブラシが該吸着面に対して直交する方向に延びる状態で保持可能であることを特徴とする歯ブラシ用保持具を提供する。
【００１３】
【発明の実施の形態】
以下、本発明にかかる保持機能付き歯ブラシの実施の形態について図面を参照しながら述べる。図１（ｂ）において、符号１は、保持機能付き歯ブラシを示している。図１（ｂ）及び図４（ｂ）に示すように、保持機能付き歯ブラシ１は、柄２の基端部３（図１（ｂ）において上端側）に磁石４を備えており、柄２の先端部５（図１（ｂ）において下端側）に刷毛部６が設けられている。使用者は、柄２を把持して保持機能付き歯ブラシ１を使用することができる。
【００１４】
上述のように、柄２の基端部３には磁石４が設けられており、保持機能付き歯ブラシ１の基端面である基端部３の端面３ａは、磁石４の吸着面７となっている。この吸着面７は、保持機能付き歯ブラシ１の軸方向に対して直交する平面に形成されており、該吸着面７を被吸着面８に磁石４の磁力によって吸着させることにより、保持機能付き歯ブラシ１を洗面台などに設けられる強磁性体で構成される被吸着面８に対して直交する方向に延びる状態で保持可能となっている。
【００１５】
また、上記磁石４は、図１（ａ）及び図４（ａ）に示すように、保持機能付き歯ブラシ１の柄２の基端部３に内蔵することもできる。即ち、図示のように、柄２の基端部３には、凹部９が形成されており、磁石４は、基端部３の端面７と磁石４の吸着面とが同一平面となるように、接着剤等で凹部９内に固着されて内蔵されている。従って、保持機能付き歯ブラシ１の基端面である基端部３の端面３ａは、磁石４の吸着面７となっている。この吸着面７も、保持機能付き歯ブラシ１の軸方向に対して直交する平面に形成されており、該吸着面７を被吸着面８に磁石４の磁力によって吸着させることにより、保持機能付き歯ブラシ１を被吸着面８に対して直交する方向に延びる状態で保持可能となっている。
【００１６】
磁石４は、いかなる角度に形成された被吸着面８に対しても保持機能付き歯ブラシ１を被吸着面８に対して直交する方向に延びる状態で保持可能である磁力を備え、このような磁石４としては、フェライト磁石や、該フェライト磁石よりも強い磁力を有する希土類磁石などを用いることができる。
【００１７】
上記被吸着面８は、強磁性体の表面であり、例えば、鉄板の表面にすることができる。この被吸着面８を有する強磁性体は、使用者が保持機能付き歯ブラシ１を保持したい任意の場所、例えば、洗面台の壁などに設けることができ、適宜の手段によって取り付けることができる。例えば、被吸着面８を備える部材を、吸盤を用いて取り付けたり、接着剤を使用して取り付けたり、あるいは、ネジ等で締結して取り付けることもできる。また、使用者が保持機能付き歯ブラシ１を保持したい場所が強磁性体である場合、例えば、洗面台等の一部が強磁性体である場合には、被吸着面８をこの強磁性体の表面にすることができ、この場合には、使用者は強磁性体を該任意の場所に新たに設ける必要がない。
【００１８】
図１（ａ）、（ｂ）には、保持機能付き歯ブラシ１が、柄２の先端部５の刷毛部６が下方に位置するように被吸着面８に対して垂下された状態で保持されているものを示している。このように、保持機能付き歯ブラシ１を垂下した状態で保持することにより、刷毛部６等に付着した水滴を垂らして除去することができ、保持機能付き歯ブラシ１を衛生的に保持することができる。また、図２（ａ）、（ｂ）に示すように、保持機能付き歯ブラシ１を、柄２の先端部５の刷毛部６が上方に位置するように被吸着面８に対して直立した状態で保持するこもできるし、図３（ａ）、（ｂ）に示すように、保持機能付き歯ブラシ１の軸方向が水平方向と平行になるように、保持機能付き歯ブラシ１を水平方向に延びた状態で被吸着面８に対して保持することもできる。すなわち、いかなる角度に設置された被吸着面８に対しても保持機能付き歯ブラシ１を磁石４の磁力によって被吸着面８に対して直交する方向に延びる状態で保持することができる。
【００１９】
なお、上述したものは、磁石４が保持機能付き歯ブラシ１に取り付けられ、被吸着面８が強磁性体の表面となっているが、逆に、歯ブラシ１の端面の磁石４に代えて強磁性体を取り付け、上記実施の形態における被吸着面の代わりに磁石の吸着面を設けることも可能である。
【００２０】
すなわち、歯ブラシ１の柄の基端部３に強磁性体を備え、基端部３の端面３ａは、強磁性体の被吸着面となっている。この被吸着面は、歯ブラシ１の軸方向に対して直交する平面に形成されており、該被吸着面を磁石の吸着面に該磁石の磁力によって吸着させることにより、歯ブラシ１を該吸着面に対して直交する方向に延びる状態で保持可能となっている。この磁石は、洗面台などに設けることができる。
【００２１】
次に、本発明にかかる歯ブラシ用保持具の実施の形態について図面を参照しながら述べる。図１（ｃ）において、符号３０は歯ブラシ用保持具を示し、符号４０は既製品の歯ブラシを示している。図１（ｃ）及び図５に示すように、歯ブラシ用保持具３０は、歯ブラシ４０の柄４１の基端部４２に取り付け可能なキャップ部３１と、該キャップ部３１の底部３２に設けられた磁石３３とを備えている。
【００２２】
底部３２には凹部３４が形成されており、磁石３３は、底部３２の端面３５と磁石３３の吸着面とが同一平面となるように接着剤等で凹部３４内に固着されて底部３２に内蔵されている。従って、底部３２の端面３５の中心部は、磁石３３の吸着面３６となっている。図６には、底部３２の端面３５の正面図を示している。吸着面３６は、キャップ部３１が取り付けられる歯ブラシ４０の軸方向に対して直交する平面であり、該吸着面３６を被吸着面８に磁石３３の磁力によって吸着させることにより、歯ブラシ４０を該被吸着面８に対して直交する方向に延びる状態で保持可能となっている。
【００２３】
上記キャップ部３１の上部には凹部３８が形成されており、この凹部３８内に歯ブラシ４０の柄４１の基端部４２が着脱可能に挿入されるようになっている。キャップ部３１は、歯ブラシ４０の柄４１の基端部４２に挿入する時に弾性的に拡張可能な樹脂で形成されているため、歯ブラシ４０の柄４１の基端部４２に確実に固定されて取り付けられる。また、キャップ部３１の凹部３８は、吸着面３６が歯ブラシ４０の軸方向に対して直交する平面を維持することが可能な奥行き寸法を有しており、これによって、歯ブラシ４０を被吸着面８に対して直交する方向に確実に保持可能となっている。また、凹部３８は、歯ブラシ４０の柄４１の基端部４２の形状に略合致した形状にすることができる。
【００２４】
磁石３３は、上記磁石４と同様に、いかなる角度に形成された被吸着面８に対しても歯ブラシ４０を被吸着面８に対して直交する方向に延びる状態で保持可能である磁力を備え、このような磁石３３としては、フェライト磁石や、該フェライト磁石よりも強い磁力を有する希土類磁石などを用いることができる。
【００２５】
図１（ｃ）には、歯ブラシ用保持具３０が取り付けられた歯ブラシ４０が、柄４１の先端部４５の刷毛部４６が下方に位置するように被吸着面８に対して垂下された状態で保持されているものを示している。このように、歯ブラシ用保持具３０が取り付けられた歯ブラシ４０を垂下した状態で保持することにより、刷毛部４６等に付着した水滴を垂らして除去することができ、歯ブラシ４０を衛生的に保持することができる。また、図２（ｃ）に示すように、歯ブラシ用保持具３０が取り付けられた歯ブラシ４０を、柄４１の先端部４５の刷毛部４６が上方に位置するように被吸着面８に対して直立した状態で保持するこもできるし、図３（ｃ）に示すように、歯ブラシ４０の軸方向が水平方向と平行になるように、歯ブラシ４０を水平方向に延びた状態で被吸着面８に対して保持することもできる。すなわち、いかなる角度に設置された被吸着面８に対しても歯ブラシ用保持具３０が取り付けられた歯ブラシ４０を磁石３３の磁力によって被吸着面８に対して直交する方向に延びる状態で保持することができる。
【００２６】
なお、上述したものは、磁石３３が歯ブラシ用保持具３０に取り付けられ、被吸着面８が強磁性体の表面となっているが、逆に、歯ブラシ用保持具３０の端面の磁石３３に代えて強磁性体を取り付け、上記実施の形態における被吸着面の代わりに磁石の吸着面を設けることも可能である。
【００２７】
すなわち、歯ブラシ４０の柄４１の基端部４２に取り付け可能なキャップ部３１と、キャップ部３１の底部３２に設けられた強磁性体とを備え、底部３２の端面３５は、強磁性体の被吸着面となっている。この被吸着面は、キャップ部３１が取り付けられる歯ブラシ４０の軸方向に対して直交する平面に形成されており、該被吸着面を磁石の吸着面に該磁石の磁力によって吸着させることにより、歯ブラシ１を該吸着面に対して直交する方向に延びる状態で保持可能となっている。この磁石は、洗面台などに設けることができる。
【００２８】
【発明の効果】
本発明によれば、歯ブラシの柄の基端部に磁石を備え、基端部の端面は、前記磁石の吸着面となっており、吸着面は、歯ブラシの軸方向に対して直交する平面であり、吸着面を被吸着面に磁石の磁力によって吸着させることにより、歯ブラシが該被吸着面に対して直交する方向に延びる状態で保持可能であるようにしたため、歯ブラシを衛生的に保持して保管することができる。
【００２９】
また、別の本発明によれば、歯ブラシの柄の基端部に取り付け可能なキャップ部と、キャップ部の底部に設けられた磁石とを備え、底部の端面は、磁石の吸着面となっており、吸着面は、キャップ部が取り付けられる歯ブラシの軸方向に対して直交する平面であり、吸着面を被吸着面に磁石の磁力によって吸着させることにより、歯ブラシが該被吸着面に対して直交する方向に延びる状態で保持可能であるようにしたため、歯ブラシを衛生的に保持して保管することができる。
【００３０】
また、さらに別の本発明によれば、歯ブラシの柄の基端部に強磁性体を備え、前記基端部の端面は、前記強磁性体の被吸着面となっており、前記被吸着面は、前記歯ブラシの軸方向に対して直交する平面であり、前記被吸着面を磁石の吸着面に該磁石の磁力によって吸着させることにより、前記歯ブラシが該吸着面に対して直交する方向に延びる状態で保持可能であるようにしたため、歯ブラシを衛生的に保持して保管することができる。
【００３１】
また、さらに別の発明によれば、歯ブラシの柄の基端部に取り付け可能なキャップ部と、前記キャップ部の底部に設けられた強磁性体とを備え、前記底部の端面は、前記強磁性体の被吸着面となっており、前記被吸着面は、前記キャップ部が取り付けられる前記歯ブラシの軸方向に対して直交する平面であり、前記被吸着面を磁石の吸着面に該磁石の磁力によって吸着させることにより、前記歯ブラシが該吸着面に対して直交する方向に延びる状態で保持可能であるようにしたため、歯ブラシを衛生的に保持して保管することができる。
【図面の簡単な説明】
【図１】図１は、本発明の実施の形態を示す概略図である。
【図２】図２は、本発明の別の実施の形態を示す概略図である。
【図３】図３は、本発明のさらに別の実施の形態を示す概略図である。
【図４】図４は、保持機能付き歯ブラシの柄の基端部を示す簡略図である。
【図５】図５は、歯ブラシ用保持具を示す概略図である。
【図６】図６は、歯ブラシ用保持具の底部の端面を示す正面図である。
【符号の説明】
１    保持機能付き歯ブラシ
２    柄
３    基端部
４    磁石
５    先端部
６    刷毛部
７    吸着面
８    被吸着面
９    凹部
３０    歯ブラシ用保持具
３１    キャップ部
３２    底部
３３    磁石
３４    凹部
３５    端面
３６    中心部
３８      凹部
４０    既製品の歯ブラシ
４１    柄
４２    基端部
４５    先端部
４６    刷毛部
【図１】
2004236808.tif 000003
【図２】
2004236808.tif 000004
【図３】
2004236808.tif 000005
【図４】
2004236808.tif 000006
【図５】
2004236808.tif 000007
【図６】
2004236808.tif 000008